(57)【要約】【課題】多数枚の用紙を連続的に通紙しても定着不良が発生せず、定着性能の安定した定着装置を提供する。【解決手段】加熱源２４の配置位置を、用紙搬送路における加熱ローラ２１と加圧ローラ２２とが圧接する圧接部Ｎよりも用紙搬送方向の上流側に偏倚させた位置に設定すると共に、温度検知センサー２３を、用紙搬送路における前記圧接部Ｎの近傍の用紙搬送方向下流側の位置にて、加熱ローラ２１の表面に接触させるように配設している。【選択図】図２
2004053673.tif 000002
【特許請求の範囲】
【請求項１】
用紙搬送路の上下両側に配設される加熱ローラと加圧ローラとを備え、かつ、
前記加熱ローラの内部に配設される加熱源と、
前記加熱ローラの表面温度を検出するための温度検知センサーと、を有する熱定着装置であって、
前記加熱源の配置位置を、前記用紙搬送路における前記加熱ローラと加圧ローラとが圧接する圧接部よりも用紙搬送方向の上流側に偏倚させた位置に設定したことを特徴とする定着装置。
【請求項２】
用紙搬送路の上下両側に配設される加熱ローラと加圧ローラとを備え、かつ、
前記加熱ローラの内部に配設される加熱源と、
前記加熱ローラの表面温度を検出するための温度検知センサーと、を有する熱定着装置であって、
前記温度検知センサーを、前記用紙搬送路における前記加熱ローラと加圧ローラとが圧接する圧接部近傍の用紙搬送方向下流側の位置で前記加熱ローラの表面に接触させるように配設したことを特徴とする定着装置。
【請求項３】
前記加熱源への通電制御をおこなう定着温度制御手段を設け、前記定着温度制御手段は、前記温度検知センサーによって検出した前記圧接部における前記加熱ローラの表面温度の落ち込み状態に基づいて、次回転での温度の落ち込みを予測し、前記加熱源への通電制御をおこなうことを特徴とする請求項１または２に記載の定着装置。
【請求項４】
前記加熱ローラ内部における前記加熱源の配置位置は、前記加熱源への通電が開始されてから、前記加熱ローラの被加熱部位が少なくとも前記圧接部に到達するまでの間に、前記加熱源からの熱量が、前記加熱ローラの被加熱部位表面に伝搬されているような位置に設定されることを特徴とする請求項１または２に記載の定着装置。
【請求項５】
前記加熱ローラ内部における前記加熱源の配置位置は、前記温度検知センサーが、前記加熱ローラ表面温度を検出した後、前記加熱源への通電をおこなうまでの時間遅延分を見込んだ位置に設定されることを特徴とする請求項１または２に記載の定着装置。
【請求項６】
前記加熱ローラ内部における前記加熱源の配置位置は、前記加熱源への通電が行われた後に、前記加熱源からの熱量が、前記加熱ローラ表面に伝導された後に、前記加熱ローラ表面が少なくとも前記圧接部に到達可能な位置であり、かつ、
前記温度検知センサーが、前記加熱ローラ表面温度を検出した後、前記加熱源への通電をおこなう時間遅延分を見込んだ位置に設定されることを特徴とする請求項１または２に記載の定着装置。
【請求項７】
前記温度検知センサーの配置位置は、前記加熱ローラと加圧ローラを通過する用紙が、少なくとも、前記加熱ローラから剥離する距離よりも前記圧接部から離間した位置に設定されることを特徴とする請求項１または２に記載の定着装置。
【発明の詳細な説明】
【０００１】
【発明の属する技術分野】
本発明は、各種複写機やプリンタ等の画像形成装置に設けられる定着装置に関する。
【０００２】
【従来の技術】
画像形成装置に設けられる定着装置は、例えば、図４に示すように、加熱ローラ２１と加圧ローラ２２で構成され、加熱ローラ２１の表面温度は、ローラの外周に配置されるセンサー（多くはサーミスターが用いられる）２３によってコントロールされている。
【０００３】
そのセンサー２３の検出温度が低い時は、加熱ローラ２１の縦断面の略中央部に内蔵される加熱源（ハロゲンランプ）２４に通電され、その熱量が加熱ローラ２１の芯金２１ａ、表面層２１ｂを介して加熱ローラ表面に伝搬される。また、センサー検出温度が高い時は、加熱源２４への通電がＯＦＦされ、加熱／加圧両ローラ２１、２２から自然放熱される。
【０００４】
このように、温度コントロールされる定着装置において、加熱ローラ２１と加圧ローラ２２の表面温度は必然的に異なっている（加熱ローラ２１：１８０〜２００℃、加圧ローラ２２：設定温度は無いが、概ね１００〜１５０℃の範囲となっている）。
【０００５】
この様な状態で、両ローラ２１、２２が回転をおこなうと（ウォームアップ中、印字前回転、印字工程中、印字後処理回転等々）、両ローラ２１、２２の温度差によって、加熱源２４がＯＮ／ＯＦＦする。特に、印字工程中は通過する用紙に奪われる熱量、未定着現像剤を溶融するための熱量、ローラの回転による放熱等々で加熱源２４はＯＮ状態となる。
【０００６】
しかし、加熱源２４が加熱ローラ２１の中央部に配置されているため、加熱ローラ２１全体を均一に暖めることは可能であるが、定着機構として必要なニップ部（ニップ領域，加熱ローラ２１と加圧ローラ２２の圧接部→用紙の通過部分）Ｎを集中的に暖めることは困難であった。
【０００７】
また、センサー２３の配置位置が、ニップ部Ｎに対し、加熱源２４を介した反対側に配置されていたため、前記ニップ部Ｎの温度を検出するのではなく、加熱ローラ２１全体の温度検出がなされていた。
【０００８】
ちなみに、加熱ローラ２１表面の温度分布については、例えば、図５に示すように、ニップ部Ｎに通紙があると、破線で示すように、用紙と加熱ローラ２２によって熱が奪われ、ニップ部Ｎの後端では大きく温度が落ち込み、その後、温度が回復すると、設定温度に向けて、加熱源２４に通電され、設定温度が維持される。
【０００９】
このように、ニップ部Ｎで大きな温度の落ち込みがあっても、温度が設定温度近くまで回復されない限り、加熱源２４への通電はおこなわれない。なお、非通紙の場合でも、実線で示すように、ある程度の温度の落ち込みがあが、設定温度への回復は比較的に速い。
【００１０】
従って、多量の印字用紙が連続的に通紙される時には、例えば、図６に示すように、かなりの枚数が通過すると、ニップ部Ｎにおける温度の落ち込みが甚だしくなり（一点鎖線で示すｎ枚目通紙の場合、および、二点鎖線で示すｎ＋ｍ枚目通紙の場合参照）、このような場合には、温度の回復が緩慢となるため、加熱源２４への通電がおこなわれないまま、以後の通紙がおこなわれるため、用紙に対する加熱不足による連続的な定着不良が発生し、トナーが剥離しやすくなる。
【００１１】
すなわち、上述のように、ニップ部Ｎで熱量を奪われても、センサー２３で温度検出するまでの周長の間で温度はある程度回復し、（アラーム表示し、装置を停止させる）定着下限値を上回るため、定着温度不足のまま定着動作が継続しておこなわれ、上述のような定着不良が連続して発生することとなる。
【００１２】
本発明は、このような実情に鑑みてなされ、多数枚の用紙を連続的に通紙しても定着不良が発生せず、定着性能の安定した定着装置を提供することを目的とする。
【００１３】
【課題を解決するための手段】
本発明は、上述の課題を解決するための手段を、以下のように構成している。
【００１４】
（１）用紙搬送路の上下両側に配設される加熱ローラと加圧ローラとを備え、かつ、前記加熱ローラの内部に配設される加熱源と、前記加熱ローラの表面温度を検出するための温度検知センサーと、を有する熱定着装置であって、
前記加熱源の配置位置を、前記用紙搬送路における前記加熱ローラと加圧ローラとが圧接する圧接部よりも用紙搬送方向の上流側に偏倚させた位置に設定したことを特徴とする。
【００１５】
この構成においては、加熱源を、用紙搬送路におけるニップ部（圧接部）よりも用紙搬送方向の上流側に偏倚した位置に設定したことで、常に、加熱ローラにおけるニップ部の回転方向手前側（上流側）の部分に加熱源からの熱量が投入されるため、ニップ部における温度を効率よく集中的に昇温させることができる。
【００１６】
従って、多数枚の用紙を連続的に通紙した場合にも、大きな温度の落ち込みを回避して、定着設定温度を安定に維持することができ、これにより、定着性能の安定向上を図ることができ、良好な画像品位を確保することができる。
【００１７】
また、従来のように加熱ローラ全体を加熱するのではなく、ニップ部への集中的な加熱が可能となるため、加熱源の熱量を少なくして、省エネ化を図ることもできる。
【００１８】
（２）用紙搬送路の上下両側に配設される加熱ローラと加圧ローラとを備え、かつ、前記加熱ローラの内部に配設される加熱源と、前記加熱ローラの表面温度を検出するための温度検知センサーと、を有する熱定着装置であって、
前記温度検知センサーを、前記用紙搬送路における前記加熱ローラと加圧ローラとが圧接する圧接部近傍の用紙搬送方向下流側の位置で前記加熱ローラの表面に接触させるように配設したことを特徴とする。
【００１９】
この構成においては、温度検知センサーを、用紙搬送路におけるニップ部（圧接部）近傍の用紙搬送方向下流側の位置で加熱ローラの表面に接触させるように配設したことで、ニップ部における加熱ローラの温度を比較的に精度よく検出することができ、これにより、加熱ローラのより適切な温度制御が可能となり、定着温度の安定維持が可能となる。
【００２０】
（３）前記加熱源への通電制御をおこなう定着温度制御手段を設け、前記定着温度制御手段は、前記温度検知センサーによって検出した前記圧接部における前記加熱ローラの表面温度の落ち込み状態に基づいて、次回転での温度の落ち込みを予測し、前記加熱源への通電制御をおこなうことを特徴とする。
【００２１】
この構成においては、温度検知センサーによってニップ部（圧接部）における加熱ローラの表面温度の落ち込み状態を精度よく検出して、その落ち込み状態に基づいて、加熱ローラの次回転での温度の落ち込みを予測するので、温度の落ち込み状態を精度よく把握することができ、その状態を加熱源への通電制御に反映させることにより温度調整を的確に行なえ、定着温度の安定維持が可能となる。
【００２２】
（４）前記加熱ローラ内部における前記加熱源の配置位置は、前記加熱源への通電が開始されてから、前記加熱ローラの被加熱部位が少なくとも前記圧接部に到達するまでの間に、前記加熱源からの熱量が、前記加熱ローラの被加熱部位表面に伝搬されているような位置に設定されることを特徴とする。
【００２３】
この構成においては、加熱ローラの被加熱部位がニップ部（圧接部）に到達するまでに、その被加熱部位表面が充分に加熱されているため、用紙に対して、充分な加熱をおこなうことができる。
【００２４】
（５）前記加熱ローラ内部における前記加熱源の配置位置は、前記温度検知センサーが、前記加熱ローラ表面温度を検出した後、前記加熱源への通電をおこなうまでの時間遅延分を見込んだ位置に設定されることを特徴とする。
【００２５】
この構成においては、加熱源を、温度検知センサーによって加熱ローラ表面温度を検出した後、加熱源への通電をおこなうまでの時間遅延分を見込んだ位置に配置しているので、加熱源に対する通電制御を遅滞なくリアルタイムでおこなうことができ、定着温度の安定維持が可能となる。
【００２６】
（６）前記加熱ローラ内部における前記加熱源の配置位置は、
前記加熱源への通電が行われ前記加熱ローラに対する加熱が開始されてから、前記加熱ローラの被加熱部位が少なくとも前記圧接部に到達するまでの間に、前記加熱源からの熱量が、前記加熱ローラの被加熱部位表面に伝搬されているような位置であり、かつ、前記温度検知センサーが、前記加熱ローラ表面温度を検出した後、前記加熱源への通電をおこなう時間遅延分を見込んだ位置に設定温度検知センサーが、前記加熱ローラ表面温度を検出した後、前記加熱源への通電をおこなう時間遅延分を見込んだ位置に設定されることを特徴とする。
【００２７】
この構成においては、加熱ローラの被加熱部位がニップ部（圧接部）に到達するまでに、その被加熱部位表面が充分に加熱されているため、用紙に対して、充分な加熱をおこなうことができ、かつ、加熱源に対する通電制御を遅滞なくリアルタイムでおこなうことができるため、定着温度の安定維持が可能となる。
【００２８】
（７）前記温度検知センサーの配置位置は、前記加熱ローラと加圧ローラを通過する用紙が、少なくとも、前記加熱ローラから剥離する距離よりも前記圧接部から離間した位置に設定されることを特徴とする。
【００２９】
この構成においては、温度検知センサーを、ニップ部（圧接部）を通過する用紙が、少なくとも、加熱ローラから剥離する距離よりも前記圧接部から離間した位置に設定するので、温度検知センサーが用紙によって干渉されることがなく、用紙ジャムの発生を回避することができ、かつ、精度の高い温度検出をおこなうことができる。
【００３０】
【発明の実施の形態】
以下に、本発明の実施形態に係る定着装置について詳細に説明する。
【００３１】
〔画像形成装置の説明〕
（スキャナ部）
図１は、画像形成装置の主要な構成を示し、この場合、装置本体の上面には、透明なガラス等からなる原稿台１が設けられており、この原稿台１の下方には、スキャナ光学系２が配設されている。このスキャナ光学系２は、原稿台１上に載置される原稿に対して光を照射する露光用光源３と原稿からの反射光を例えば図中の一点鎖線で示すように、このスキャナ光学系２内の結像レンズ４を通した向こう側（右側）に配置されている光電変換素子（ＣＣＤ）５に導く複数の反射鏡６〜８と光路中に配される前記結像レンズ４と、前記ＣＣＤ５とを備えている。
【００３２】
（画像形成部）
ＣＣＤ５によって読み取られた原稿画像データは、画像処理が施されレーザスキャニングユニット（以下　ＬＳＵと称する）によりレーザ光を感光体９の表面に照射し静電潜像が形成される。感光体９は、矢印方向に回転駆動されるドラム形状をなしており、この感光体９の周囲にはレーザ照射点から感光体９の回転方向に向かって、レーザによって露光された感光体表面の静電潜像をトナーにより可視像に現像する現像装置（図示省略）、感光体９上のトナー像を用紙に転写する転写チャージャ１０、感光体表面の残留トナーを除去するクリーニング装置１１、感光体９を所定の電位に帯電させる主帯電器１２、および感光体９のレーザ照射点にむかってレーザを照射させるＬＳＵ１３等が順に設けられている。
【００３３】
（給紙・搬送系）
また、転写紙Ｐは用紙カセット１４に収められる。用紙カセット１４の先端部には転写紙Ｐを給紙するための半月状ローラ１５が配設されており、その下流側に向かって（便宜上、転写紙Ｐの流れ出し〈カセット側〉を上流、排紙側を下流とする）、転写紙Ｐの通過を検知するためのレジスト前検知スイッチ（図示省略）、前記レジスト前検知スイッチの信号を基に感光体９上のトナー像と転写紙Ｐの位置あわせをおこなうレジストローラ１６、感光体上のトナー像を転写紙Ｐに転写する転写チャージャ１０、転写紙Ｐ上のトナー像を熱により定着させる上定着ローラ（加熱ローラ）２１、下定着ローラ（加圧ローラ）２２を具備した定着装置、転写紙Ｐが通過したことを検知する定着紙検知スイッチ（図示省略）、排紙ローラ１８前で転写紙Ｐが通過したことを検知する排紙検知スイッチ（図示省略）、転写紙Ｐを排出するための前記排紙ローラ１８、が配置されている。なお、転写紙Ｐは、前記画像形成部の横、つまり、用紙カセット１４の上部で、かつ、前記スキャナ部の下方の位置に排出される。
【００３４】
〔加熱源および温度検知センサーの配置位置〕
図２（ａ）は、定着装置の構成を示し、特に、本実施形態では、加熱ローラ２１内に配設されるハロゲンランプ等からなる加熱源２４を、用紙搬送路における加熱ローラ２１と加圧ローラ２２とが圧接するニップ部（ニップ領域，圧接部）Ｎよりも用紙搬送方向の上流側（図示右寄りに）に偏倚させた位置に配設すると共に、サーミスタ等からなる温度検知センサー２３を、用紙搬送路におけるニップ部Ｎの近傍の用紙搬送方向下流側の位置にて、加熱ローラ２１の表面に接触させるように配設している。
【００３５】
このように、加熱源２４を、用紙搬送路におけるニップ部Ｎよりも用紙搬送方向の上流側に偏倚した位置に設定したことで、常に、加熱ローラ２１におけるニップ部Ｎの回転方向手前側（上流側）の部分に加熱源２４からの熱量を投入することができるため、図示時計回りに回転する加熱ローラ２１のニップ部Ｎにおける温度を効率よく集中的に昇温させることができる。つまり、加熱ローラ２１の回転と熱の伝搬速度を見込んで、ニップ部Ｎから逆向きに溯った位置に加熱源２４を配置している。
【００３６】
より具体的には、加熱源２４の配置位置は、加熱源２４への通電が行われて、加熱ローラ２１に対する加熱が開始されてから、加熱ローラ２１の被加熱部位が少なくともニップ部Ｎに到達するまでの間に、加熱源２４からの熱量が、加熱ローラ２１の被加熱部位表面にまで伝搬されているような位置に設定するのが好ましい（図２（ａ）におけるＹ１参照）。
【００３７】
さらには、加熱源２４は、温度検知センサー２３が、加熱ローラ表面温度を検出した後、加熱源２４への通電をおこなう時間遅延分を見込んだ位置に設定されるのがより好ましい（図２（ａ）におけるＹ２参照）。つまり、図２（ａ）の位置に加熱源２４を配置すればよい。
【００３８】
このような位置に加熱源２４を配置することで、加熱ローラ２１の被加熱部位がニップ部Ｎに到達するまでに、その被加熱部位表面が充分に昇温されており、かつ、加熱源２４に対する通電制御を遅滞なくリアルタイムでおこなうことができ、通紙条件の如何を問わず、定着温度の安定維持が可能となる。
【００３９】
従って、多数枚の用紙を連続的に通紙した場合にも、大きな温度の落ち込みを回避して、定着設定温度を安定に維持することができ、これにより、定着性能の安定向上を図ることができ、良好な画像品位を確保することができる。
【００４０】
また、上述のような偏倚位置に加熱源２４を配設したことで、加熱ローラ内の中央部に加熱源を配置していた従来のように、加熱ローラ全体を加熱するのではなく、ニップ部Ｎへの集中的な加熱が可能となるため、加熱源２４の加熱ローラ２１への加熱効率が顕著に向上し、その熱量を少なく設定して、省エネ化を図ることも可能となる。
【００４１】
ちなみに、図２（ｂ）は、加熱ローラ２１内部の温度分布を示し、図示のように、加熱源２４の近傍部の温度が集中的に高くなっており、これにより、回転することでニップ部Ｎに到達するその被加熱部分が効率的に加熱されることを明確に確認することができる。
【００４２】
そして、温度検知センサー２３を、上述のような位置に配置したことで、加熱ローラ２１の直上部に設けていた従来よりも、ニップ部Ｎにおける加熱ローラ２１の温度を精度よく検出することができる。これにより、加熱ローラのより適切な温度制御が可能となり、定着温度の安定維持が可能となる。
【００４３】
さらに、温度検知センサー２３は、ニップ部Ｎを通過する用紙が、少なくとも、加熱ローラ２１から剥離する距離よりも前記ニップ部Ｎから離間した位置（図示Ｘ参照）に設定されることが好ましい。
【００４４】
このような位置に、温度検知センサー２３を配置することで、用紙によって温度検知センサー２３が干渉されることがなくなり、用紙ジャムの発生を回避することができ、かつ、常時、精度の高い温度検出をおこなうことができる。
【００４５】
〔定着温度の制御〕
上述のように構成される定着装置の加熱ローラ２１の加熱源２４への通電制御は、例えば、以下のようにおこなうことができる。すなわち、図示は省略するが、ＣＰＵ（演算処理部）、ＲＯＭ（読出専用記憶部）、ＲＡＭ（一時記憶部）を具備した定着温度制御手段を設け、その入力側には温度検知センサー２３を接続し、出力側には加熱源２４を接続し、予め設定記憶させた制御プログラムにより、温度検知センサー２３によって検出したニップ部Ｎにおける加熱ローラ２１の表面温度の落ち込み状態に基づいて、次回転での温度の落ち込みを予測し、加熱源２４への通電制御（例えば、オン・オフ制御）をおこなう。
【００４６】
このような制御では、温度検知センサー２３によってニップ部Ｎにおける加熱ローラ２１の表面温度の落ち込み状態を精度よく検出して、その落ち込み状態に基づいて、加熱ローラ２１の次回転での温度の落ち込みを予測するので、加熱源２３への通電制御に温度の落ち込み状態を的確に反映させることができ、通紙条件の如何を問わず、安定した定着温度の制御が可能となる。
【００４７】
図３は、このような加熱源２４への通電制御をおこなった場合の定着ローラ（加熱ローラ）２１のニップ部Ｎ近傍の温度変化を示し、図示のように、ニップ部Ｎでの加熱ローラ２１の温度低下は少なく、通紙条件の如何を問わず、定着温度の回復が迅速におこなわれ、適切な位置に配設した温度検知センサー２３によって回復した定着温度が検出されるため、たとえ通紙枚数が増加しても（二点鎖線のｎ＋ｍ＋α）、例えば、図６に示す従来のような定着不良は発生しない（定着温度が、定着下限値まで落ち込まない）。
【００４８】
なお、本発明は、定着装置を、実施の形態に示す構成に限定するものではなく、少なくとも、用紙搬送路の上下両側に配設される加熱ローラと加圧ローラとを備え、かつ、前記加熱ローラの内部に配設される加熱源と、前記加熱ローラの表面温度を検出するための温度検知センサーと、を有する定着装置であれば、構成や形式の如何を問わず、本発明を適用することができる。また、画像形成装置についても、図１に示す構成に限定するものではなく、上述のように構成される定着装置を具備することができる画像形成装置であれば、その構成や形式の如何を問わず、本発明を適用することができる。
【００４９】
【発明の効果】
以上の説明から明らかなように、本発明は、以下の効果を奏する。
【００５０】
（１）加熱源を、用紙搬送路におけるニップ部（圧接部）よりも用紙搬送方向の上流側に偏倚した位置に設定したので、常に、加熱ローラにおけるニップ部の回転方向手前側（上流側）の部分に加熱源からの熱量が投入されるため、ニップ部における温度を効率よく集中的に昇温させることができる。
【００５１】
従って、多数枚の用紙を連続的に通紙した場合にも、大きな温度の落ち込みを回避して、定着設定温度を安定に維持することができ、これにより、定着性能の安定向上を図ることができ、良好な画像品位を確保することができる。また、ニップ部への集中的な加熱が可能となるため、加熱源の熱量を少なくして、省エネ化を図ることもできる。
【００５２】
（２）温度検知センサーを、用紙搬送路におけるニップ部（圧接部）近傍の用紙搬送方向下流側の位置で加熱ローラの表面に接触させるように配設するので、ニップ部における加熱ローラの温度を比較的に精度よく検出することができ、これにより、加熱ローラのより適切な温度制御が可能となり、定着温度の安定維持が可能となる。
【００５３】
（３）温度検知センサーによってニップ部（圧接部）における加熱ローラの表面温度の落ち込み状態を精度よく検出して、その落ち込み状態に基づいて、加熱ローラの次回転での温度の落ち込みを予測するので、温度の落ち込み状態を精度よく把握することができ、その状態を加熱源への通電制御に反映させることにより温度調整を的確に行なえ、定着温度の安定維持が可能となる。
【００５４】
（４）加熱ローラに対する加熱が開始されてから、その被加熱部位が少なくともニップ部に到達するまでの間に、前記加熱源からの熱量が、前記加熱ローラの被加熱部位表面に伝搬されているような位置に、加熱源を配置するので、加熱ローラの被加熱部位がニップ部（圧接部）に到達するまでに、その被加熱部位表面が充分に加熱されているため、用紙に対して、充分な加熱をおこなうことができる。
【００５５】
（５）温度の検出後加熱源への通電をおこなうまでの時間遅延分を見込んだ位置に、加熱源を配置するので、加熱源に対する通電制御をリアルタイムでおこなうことができ、定着温度の安定維持が可能となる。
【００５６】
（６）加熱源の配置位置を、加熱ローラに対する加熱が開始されてから、前記加熱ローラの被加熱部位が少なくとも前記圧接部に到達するまでの間に、前記加熱源からの熱量が、前記加熱ローラの被加熱部位表面に伝搬されているような位置であり、かつ、前記温度検知センサーが、前記加熱ローラ表面温度を検出した後、前記加熱源への通電をおこなうまでの時間遅延分を見込んだ位置に設定するので、加熱ローラの被加熱部位がニップ部（圧接部）に到達するまでに、その被加熱部位表面が充分に加熱されているため、用紙に対して、充分な加熱をおこなうことができ、かつ、加熱源に対する通電制御を遅滞なくリアルタイムでおこなうことができるため、定着温度の安定維持が可能となる。
【００５７】
（７）温度検知センサーを、ニップ部（圧接部）を通過する用紙が、少なくとも、加熱ローラから剥離する距離よりも前記圧接部から離間した位置に設定するので、温度検知センサーが用紙によって干渉されることがなく、用紙ジャムの発生を回避することができ、かつ、精度の高い温度検出をおこなうことができる。
【図面の簡単な説明】
【図１】本発明の実施形態に係る画像形成装置の構成を示す説明図である。
【図２】同定着装置の構成と加熱ローラの温度分布を示す説明図である。
【図３】同定着ローラのニップ部における温度の変化状態の説明図である。
【図４】従来の定着装置の構成の一例を示す構成説明図である。
【図５】同定着ローラのニップ部における表面温度の落ち込み状態の説明図である。
【図６】同定着ローラのニップ部における表面温度の落ち込み状態の別の説明図である。
【符号の説明】
２１−加熱ローラ
２２−加圧ローラ
２３−温度検知センサー
２４−加熱源
Ｎ−ニップ部
【図１】
2004053673.tif 000003
【図２】
2004053673.tif 000004
【図３】
2004053673.tif 000005
【図４】
2004053673.tif 000006
【図５】
2004053673.tif 000007
【図６】
2004053673.tif 000008